(57)【要約】【課題】キー入力エラーによる不必要な緊急呼び出しを防止し得る携帯端末機の呼び出しエラー防止方法を提供する。【解決手段】使用者が電話番号を入力して通話を試みるとき、携帯端末機により入力された電話番号と事前に格納された特定番号とを比較する段階と、前記比較する段階での比較結果によって携帯端末機の動作を制御する段階とを有する。【選択図】図２
2004282747.tif 000002
【特許請求の範囲】
【請求項１】
使用者が電話番号を入力して通話を試みるとき、携帯端末機により入力された電話番号と事前に格納された特定番号とを比較する段階と、
前記比較する段階での比較結果によって携帯端末機の動作を制御する段階とを有することを特徴とする携帯端末機の呼び出しエラー防止方法。
【請求項２】
前記比較する段階は、入力された電話番号で呼び出す電話番号が前記特定番号であるかどうかを判断する段階と、
前記判断する段階での判断結果、前記入力された電話番号で呼び出す電話番号が前記特定番号と判断された場合、入力された電話番号で呼び出す電話番号と特定番号との長さを比較する段階とを有することを特徴とする請求項１記載の携帯端末機の呼び出しエラー防止方法。
【請求項３】
前記判断する段階での判断結果、前記入力された電話番号で呼び出す電話番号が前記特定番号でないと判断された場合、直接、通話がなされることを特徴とする請求項２記載の携帯端末機の呼び出しエラー防止方法。
【請求項４】
前記制御する段階は、前記入力された電話番号が特定番号より長いか又は短い場合、使用者に警告する段階と、
使用者に前記特定番号にて呼び出しを行うかどうかを確認する段階とを有することを特徴とする請求項１記載の携帯端末機の呼び出しエラー防止方法。
【請求項５】
前記入力された電話番号の長さが前記特定番号と同じである場合、直接、通話がなされることを特徴とする請求項４記載の携帯端末機の呼び出しエラー防止方法。
【請求項６】
前記使用者に対して行う警告は、携帯端末機から警告音又は警告メッセージを発生させて実行されることを特徴とする請求項４記載の携帯端末機の呼び出しエラー防止方法。
【請求項７】
前記制御する段階は、使用者が入力した番号で呼び出しを行うことが確認された場合、携帯端末機により通話接続が試みられる段階を更に有することを特徴とする請求項１記載の携帯端末機の呼び出しエラー防止方法。
【請求項８】
前記特定番号は、緊急呼び出し番号や付加情報サービス番号などである日常的には使用しない電話番号を含むことを特徴とする請求項１記載の携帯端末機の呼び出しエラー防止方法。
【請求項９】
前記特定番号は、携帯端末機自体に事前に格納されるか、又は使用者により設定されることを特徴とする請求項１記載の携帯端末機の呼び出しエラー防止方法。
【請求項１０】
使用者が電話番号を入力して通話ボタンを押したとき、携帯端末機によって、入力された電話番号で呼び出す電話番号が事前に格納された特定番号であるかどうかを判断する段階と、
前記判断する段階での判断結果、前記特定番号であると判断された場合、特定番号と前記入力された電話番号との長さを比較する段階と、
前記比較する段階での比較結果、前記入力された電話番号と特定番号との長さが異なった場合、使用者に警告をする段階と、
前記警告後、携帯端末機に使用者が入力した番号で呼び出しを行うかどうかを確認する段階とを有することを特徴とする携帯端末機の呼び出しエラー防止方法。
【請求項１１】
前記呼び出す電話番号が、前記特定番号でないと判断された場合、携帯端末機により直接通話接続が試みられることを特徴とする請求項１０記載の携帯端末機の呼び出しエラー防止方法。
【請求項１２】
前記入力された電話番号が、前記特定番号と長さが同じである場合、携帯端末機により直接通話接続が試みられることを特徴とする請求項１０記載の携帯端末機の呼び出しエラー防止方法。
【請求項１３】
前記使用者に対して行う警告は、携帯端末機から警告音又は警告メッセージを発生させて実行されることを特徴とする請求項１０記載の携帯端末機の呼び出しエラー防止方法。
【請求項１４】
前記使用者が特定番号で呼び出しを行ったものと確認された場合、携帯端末機により通話接続が試みられる段階を更に有することを特徴とする請求項１０記載の携帯端末機の呼び出しエラー防止方法。
【請求項１５】
前記特定番号は、緊急呼び出し番号や付加情報サービス番号などである日常的には使用しない電話番号を含むことを特徴とする請求項１０記載の携帯端末機の呼び出しエラー防止方法。
【請求項１６】
前記特定番号は、携帯端末機自体に事前に格納されるか、又は使用者により設定されることを特徴とする請求項１０記載の携帯端末機の呼び出しエラー防止方法。
【発明の詳細な説明】
【技術分野】
【０００１】
本発明は、携帯端末機に係るものであり、詳しくは、使用者の誤りによって緊急呼び出し番号に接続される現象を防止する携帯端末機の呼び出しエラー防止方法に関するものである。
【背景技術】
【０００２】
携帯端末機の使用が普遍化されるにつれて、使用者たちは、いつどこでも携帯端末機により連絡を取り交わすようになってきているが、携帯の便宜性のために、携帯端末機が小型化及び軽量化されることで、狭いキーパッドの空間により使用者が着信側電話番号を誤って入力することが頻繁に起こっている。従って、誤って入力された番号が緊急通話のための番号であると、電話をかけた使用者や電話を受けた緊急電話センターの職員は共に不便を味わうことになる。
【０００３】
例えば、０１１−９８７６−５４３２という番号で電話をかける場合、０が使用者の誤りで入力されず、残りの番号のみが入力されて呼出しが発生すると、残りの番号の１１９−８７６−５４３２で電話をかけることになる。すると、前記番号の最初三桁の１１９は、韓国の緊急救助を要請する緊急呼び出し番号であるため、残りの番号は無視されたまま、１１９安全申告センターに電話をかけることになって、使用者は当惑して謝罪し、電話を受けた緊急電話センター職員も業務に支障を受けるようになる。実際に、このような状況は頻繁に起こっているが、これは、緊急救助を要請する緊急呼び出し番号が１１９であって、最も多く使用される携帯電話番号が０１１−９＊＊＊−＊＊＊＊であることに起因する。
【０００４】
しかしながら、従来は、使用者の誤りや入力エラーなどで緊急呼び出し番号を発呼した場合、誤りによる緊急呼び出し番号への発呼自体を端末機で制御することができなかった（例えば、特許文献１参照）。
【０００５】
【特許文献１】特開２０００−１４９７０１号公報
【発明の開示】
【発明が解決しようとする課題】
【０００６】
上述したように、従来の携帯端末機においては、使用者の誤りや入力エラーなどにより緊急呼び出しをすることが頻繁に発生するという問題点があり、又、使用者の誤りや入力エラーなどで緊急呼び出しをする場合、誤りによる緊急呼び出しを端末機で制御することができないという問題点があった。
【０００７】
そこで、本発明は上記従来の携帯端末機の呼び出しエラー防止方法における問題点に鑑みてなされたものであって、本発明の目的は、キー入力エラーによる不必要な緊急呼び出しを防止する携帯端末機の呼び出しエラー防止方法を提供することにある。
【課題を解決するための手段】
【０００８】
上記目的を達成するためになされた本発明による携帯端末機の呼び出しエラー防止方法は、使用者が電話番号を入力して通話を試みるとき、携帯端末機により入力された電話番号と事前に格納された特定番号とを比較する段階と、前記比較する段階での比較結果によって携帯端末機の動作を制御する段階とを有することを特徴とする。
【０００９】
前記比較する段階は、入力された電話番号で呼び出す電話番号が前記特定番号であるかどうかを判断する段階と、前記判断する段階での判断結果、前記入力された電話番号で呼び出す電話番号が前記特定番号と判断された場合、入力された電話番号で呼び出す電話番号と特定番号との長さを比較する段階とを有することを特徴とする。
前記判断する段階での判断結果、前記入力された電話番号が特定番号でないと判断された場合、直接、通話がなされることを特徴とする。
前記制御する段階は、前記入力された電話番号が特定番号より長いか又は短い場合、使用者に警告する段階と、使用者に前記特定番号にて呼び出しを行うかどうかを確認する段階とを有することを特徴とする。
前記入力された電話番号の長さが前記特定番号と同じである場合、直接、通話がなされることを特徴とする。
【００１０】
前記使用者に対して行う警告は、携帯端末機から警告音又は警告メッセージを発生させて実行されることを特徴とする。
前記制御する段階は、使用者が入力した番号で呼び出しを行うことが確認された場合、携帯端末機により通話接続が試みられる段階を更に有することを特徴とする。
前記特定番号は、緊急呼び出し番号や付加情報サービス番号などである日常的には使用しない電話番号を含むことを特徴とする。
前記特定番号は、携帯端末機自体に事前に格納されるか、又は使用者により設定されることを特徴とする。
【００１１】
また、上記目的を達成するためになされた本発明による携帯端末機の呼び出しエラー防止方法は、使用者が電話番号を入力して通話ボタンを押したとき、携帯端末機によって、入力された電話番号で呼び出す電話番号が事前に格納された特定番号であるかどうかを判断する段階と、前記判断する段階での判断結果、前記特定番号であると判断された場合、特定番号と前記入力された電話番号との長さを比較する段階と、前記比較する段階での比較結果、前記入力された電話番号と特定番号との長さが異なった場合、使用者に警告をする段階と、前記警告後、携帯端末機に使用者が入力した番号で呼び出しを行うかどうかを確認する段階とを有することを特徴とする。
【発明の効果】
【００１２】
本発明による携帯端末機の呼び出しエラー防止方法によれば、使用者の誤りなどのキー入力エラーによる特定番号の呼び出しを認識して使用者に警告し、誤った緊急呼び出しなどの不必要な呼び出しを防止することで、使用者に便宜を与えて金銭的損失を防止させ、且つ、緊急電話センターの正常な業務を妨害する要因を除去し得るという効果がある。
【発明を実施するための最良の形態】
【００１３】
次に、本発明に係る携帯端末機の呼び出しエラー防止方法を実施するための最良の形態の具体例を図面を参照しながら説明する。
【実施例】
【００１４】
図１は、一般的な携帯端末機の構成を示したブロック図である。図に示すように、携帯端末機は、音声データ及びパケットデータを送受信する無線部１０と、無線部１０から送受信する音声データを処理する音声処理部２０と、携帯端末機の全体動作を制御する制御部３０と、携帯端末機の動作に必要なプログラム、データ及び非日常的な電話番号（緊急呼び出し番号や付加情報サービス番号などである日常的には使用しない電話番号）が格納されるメモリ４０と、電話番号やメッセージを入力するためのキー入力部５０と、データを画面に表示する表示部６０とを含んで構成されている。
【００１５】
以下、このような本発明による携帯端末機の呼び出しエラー防止方法の実施例を、図１に基づいて説明する。
使用者の押す電話番号がキー入力部５０にて入力されると、制御部３０によりメモリ４０に格納され、そして表示部６０に表示される。
【００１６】
次に、使用者が通話ボタンを押したとき、制御部３０は現在発呼すべき電話番号が端末に事前に格納された非日常的な特定番号であるかどうかを確認する。
次に、もし発呼すべき電話番号が特定番号でない場合、制御部３０は、無線部１０を制御して無線部１０から発呼させる。
【００１７】
また、発呼すべき電話番号が特定番号である場合、制御部３０によりメモリ４０に格納された電話番号が特定番号の長さと同じであるかどうかを判断し、その判断結果にて、発呼すべき電話番号と特定番号との長さが同じである場合、制御部３０は、特定番号で呼び出しを行うように無線部１０を制御する。然し、発呼すべき電話番号が特定番号より長いか又は短い場合、制御部３０は、使用者がキー入力を誤ったものと判断し、音声処理部２０から警告音を発生するか、又は、表示部６０に警告をするためのメッセージやアイコンなどを表示することで、携帯端末機の動作を制御する。
【００１８】
図２は本発明による携帯端末機の呼び出しエラー防止方法を示したフローチャートである。
図に示すように、本発明による携帯端末機の呼び出しエラー防止方法は、電話番号が入力されて通話ボタンが押されたとき、入力された電話番号で呼び出す電話番号が端末に事前に格納された特定番号であるかどうかを判断する段階と、その判断結果で、特定番号であると判断された場合、特定番号と入力された電話番号との長さを比較する段階と、その比較結果で、特定番号より入力された電話番号が長いか又は短い場合、使用者に警告して確認を行う段階とを有している。
【００１９】
以下、携帯端末機に事前に格納された特定番号が緊急呼び出し番号である場合を例に挙げて、本発明による携帯端末機の呼び出しエラー防止方法の過程を説明する。
まず、使用者がキーパッドを押して電話番号を入力し、通話ボタンを押す（ステップＳ１０）。
【００２０】
次に、携帯端末機により、入力された電話番号で呼び出す電話番号が緊急呼び出し番号であるかを判断し（ステップＳ２０）、その判断結果で、緊急呼び出し番号でないと判断されると、発呼して通話を接続する。然し、入力された電話番号で呼び出しをするとき、接続される電話番号が緊急呼び出し番号であると判断されると、使用者が入力した電話番号と緊急呼び出し番号との長さを比較し（ステップＳ３０）、その比較結果で、長さが同様であると、使用者が緊急呼び出しを行ったものと判断し、緊急呼び出し番号で通話接続を試みる。
【００２１】
また、比較結果で、入力した電話番号と緊急呼び出し番号との長さが異なった場合、警告音や警告メッセージなどを発生することで、使用者にキー入力が誤ったことを知らせる（ステップＳ４０）。
【００２２】
次に、携帯端末機は、使用者に緊急呼び出しを試みたかをメッセージ表示などにより尋ねる（ステップＳ５０）。その後、使用者が緊急呼び出しを試みたことが正しいとボタン入力などにより確認されると、緊急呼び出し番号で通話接続が開始されるが、使用者が入力を誤ったと確認した場合、通話を取り消し、最初から再び番号を入力させる。
【００２３】
例えば、従来は、使用者が０１１−２３４５−６７８９で電話をかけるとき、キーを誤って押すことで、キー入力エラーにより１１２−３４５６−７８９が入力されたまま通話が試みられ、１１２犯罪申告センターに緊急呼び出しをするようになってしまうが、本発明では、緊急呼び出し番号の１１２が入力された場合でも、残りの番号が緊急呼び出し番号より長いため、警告音や警告メッセージなどを発生することで、使用者にキー入力エラーを知らせることができる。
【図面の簡単な説明】
【００２４】
【図１】一般的な携帯端末機の構成を示したブロック図である。
【図２】本発明による呼び出しエラー防止方法を示したフローチャートである。
【符号の説明】
【００２５】
１０        無線部
２０        音声処理部
３０        制御部
４０        メモリ
５０        キー入力部
６０        表示部
【図１】
2004282747.tif 000003
【図２】
2004282747.tif 000004